(57)【要約】      （修正有）【課題】  より合理的に構成された革張りの筐体を得ること。【解決手段】  その表面に革張りを施してなる筐体において、当該筐体は、所定の角度で連続する第1の面２１０及び第２の面２２０に革張りを施してなり、第１の面に設ける第１革体部材３１０は、その裾３１１を曲げて、その裾が第２の面にかかるものとし、第２の面に設ける第２革体部材３２０は、第１革体部材の裾を覆うように設け、第２の面には、第１革体部材の裾を装着する凹部２２１を設けて、第２革体部材の表面に第１革体部材の裾の厚みが浮き出ることがないように構成した。また、当該筐体は、その表面に第３革体部材３３０を設けてなる蓋体と、蓋体を連結するヒンジ用革体部材を備え、蓋体は、ヒンジ用革体部材の所定の部位を折り目にして開閉するようにした。【選択図】図２
2007033332.tif 000002
【特許請求の範囲】
【請求項１】
その表面に革張りを施してなる筐体において、
当該筐体の表面には、第１革体部材及び第２革体部材を設け、
前記第２革体部材は、前記第１革体部材の裾を覆うように設け、
当該筐体の表面には、前記第１革体部材の裾を装着する凹部を設けて、前記第２革体部材の表面に前記第１革体部材の裾の厚みが浮き出ることがないようにしたことを特徴とする筐体。
【請求項２】
その表面に革張りを施してなる筐体において、
当該筐体は、第1の面と、前記第1の面に所定の角度で連続する第２の面とを備え、少なくとも前記第1の面及び前記第２の面に革張りを施してなり、
前記第１の面には、第１革体部材を設け、
前記第２の面には、第２革体部材を設け、
前記第１革体部材は、その裾を曲げて、前記裾が前記第２の面にかかるものとし、
前記第２革体部材は、前記第１革体部材の裾を覆うように設け、
前記第２の面には、前記第１革体部材の裾を装着する凹部を設けて、前記第２革体部材の表面に前記第１革体部材の裾の厚みが浮き出ることがないようにしたことを特徴とする筐体。
【請求項３】
当該筐体は、その表面に第３革体部材を設けてなる蓋体を備えたことを特徴とする請求項２記載の筐体。
【請求項４】
当該筐体は、前記蓋体を連結するヒンジ用革体部材を備え、
前記蓋体は、前記ヒンジ用革体部材の所定の部位を折り目にして開閉するようにしたことを特徴とする請求項３記載の筐体。
【請求項５】
当該筐体は、前記蓋体を連結する帯体を備え、
前記帯体は、前記第１革体部材又は前記第２革体部材の表面に固着するとともに、前記第３革体部材の表面に固着してなることを特徴とする請求項３又は４記載の筐体。
【請求項６】
前記第１の面又は前記第２の面には、溝状の凹部を設け、
前記帯体は、前記第１革体部材又は前記第２革体部材の表面に浮き出る前記溝状の凹部の形状に合せて位置決めしたことを特徴とする請求項５記載の筐体。
【請求項７】
前記蓋体には、溝状の凹部を設け、
前記帯体は、前記第３革体部材の表面に浮き出る前記溝状の凹部の形状に合せて位置決めしたことを特徴とする請求項５又は６記載の筐体。
【請求項８】
その表面に革張りを施してなる筐体において、
当該筐体は、革体部材を設けてなる面を備えるとともに、その表面に他の革体部材を設けてなる蓋体と、前記蓋体を連結するヒンジ用革体部材とを備え、
前記蓋体は、前記ヒンジ用革体部材の所定の部位を折り目にして開閉するようにしたことを特徴とする筐体。
【請求項９】
請求項１乃至８のいずれか記載の筐体に電子装置を組み込んでなることを特徴とする電子機器。
【請求項１０】
当該電子機器は、前記第１の面に時刻表示部を設けてなる時計であることを特徴とする請求項９記載の電子機器。
【発明の詳細な説明】
【技術分野】
【０００１】
本発明は、電子機器のケース等に用いられる革張りの筐体に関する
【背景技術】
【０００２】
筐体に革張りを施すことによれば、高級感のある外観や手触りを得ることが可能である。このような筐体は、電子機器のケースとして用いられる場合もある。特許文献１及び２には、この種の筐体が開示されている。特許文献１の発明は、カメラのケースに革張りを施してなるものであり、特許文献２の発明は、携帯端末機器等の電子情報関連機器のケースに革張りを施してなるものである。
【特許文献１】特開平８−９５１３３号公報
【特許文献２】特開２００１−５７４７７号公報
【発明の開示】
【発明が解決しようとする課題】
【０００３】
さて近年、時計のデザインはますます多様化される傾向にあり、本願発明者は、時計のケースとして皮張りの筐体を用いることを発案した。革張りの筐体については、その機能性を確保するとともに、より美しく見せるための工夫が必要である。本発明は、かかる事情に鑑みてなされたものであり、その目的は、より合理的に構成された革張りの筐体を得ることである。
【課題を解決するための手段】
【０００４】
本願第１請求項に記載した発明は、その表面に革張りを施してなる筐体において、当該筐体の表面には、第１革体部材及び第２革体部材を設け、前記第２革体部材は、前記第１革体部材の裾を覆うように設け、当該筐体の表面には、前記第１革体部材の裾を装着する凹部を設けて、前記第２革体部材の表面に前記第１革体部材の裾の厚みが浮き出ることがないようにした構成の筐体である。
【０００５】
本願第２請求項に記載した発明は、その表面に革張りを施してなる筐体において、当該筐体は、第1の面と、前記第1の面に所定の角度で連続する第２の面とを備え、少なくとも前記第1の面及び前記第２の面に革張りを施してなり、前記第１の面には、第１革体部材を設け、前記第２の面には、第２革体部材を設け、前記第１革体部材は、その裾を曲げて、前記裾が前記第２の面にかかるものとし、前記第２革体部材は、前記第１革体部材の裾を覆うように設け、前記第２の面には、前記第１革体部材の裾を装着する凹部を設けて、前記第２革体部材の表面に前記第１革体部材の裾の厚みが浮き出ることがないようにした構成の筐体である。
【０００６】
本願第３請求項に記載した発明は、請求項２において、当該筐体は、その表面に第３革体部材を設けてなる蓋体を備えた構成の筐体である。
【０００７】
本願第４請求項に記載した発明は、請求項３において、当該筐体は、前記蓋体を連結するヒンジ用革体部材を備え、前記蓋体は、前記ヒンジ用革体部材の所定の部位を折り目にして開閉するようにした構成の筐体である。
【０００８】
本願第５請求項に記載した発明は、請求項３又は４において、当該筐体は、前記蓋体を連結する帯体を備え、前記帯体は、前記第１革体部材又は前記第２革体部材の表面に固着するとともに、前記第３革体部材の表面に固着してなる構成の筐体である。
【０００９】
本願第６請求項に記載した発明は、請求項５において、前記第１の面又は前記第２の面には、溝状の凹部を設け、前記帯体は、前記第１革体部材又は前記第２革体部材の表面に浮き出る前記溝状の凹部の形状に合せて位置決めした構成の筐体である。
【００１０】
本願第７請求項に記載した発明は、請求項５又は６において、前記蓋体には、溝状の凹部を設け、前記帯体は、前記第３革体部材の表面に浮き出る前記溝状の凹部の形状に合せて位置決めした構成の筐体である。
【００１１】
本願第８請求項に記載した発明は、その表面に革張りを施してなる筐体において、当該筐体は、革体部材を設けてなる面を備えるとともに、その表面に他の革体部材を設けてなる蓋体と、前記蓋体を連結するヒンジ用革体部材とを備え、前記蓋体は、前記ヒンジ用革体部材の所定の部位を折り目にして開閉するようにした構成の構成の筐体である。
【００１２】
本願第９請求項に記載した発明は、請求項１乃至８のいずれか記載の筐体に電子装置を組み込んでなる構成の電子機器である。
【００１３】
本願第１０請求項に記載した発明は、請求項９において、当該電子機器は、前記第１の面に時刻表示部を設けてなる時計である構成の電子機器である。
【発明の効果】
【００１４】
本発明によれば、より合理的に構成された革張りの筐体を得ることができる。
【発明を実施するための最良の形態】
【００１５】
以下に、本発明の実施例を図面に基づいて詳細に説明する。図１乃至図３に示す時計１は、筐体１００の内部に電子装置たる時計本体ユニット１０を組み込むとともに、時計本体ユニット１０の時刻表示部１１を外部に露呈してなる電子機器である。筐体１００は、その表面に革張りを施してなるものである。本願において革体とは、本皮、合成革、又はそれに類似する生地等のことをいう。
【００１６】
本例の筐体１００は、本体部材１１０に対し蓋体１２０を開閉可能に設けてなるものである。本体部材１１０及び蓋体１２０は、所定の形状に加工された樹脂製、陶器製、木製、又は金属製の部材である。加工方法は、特に限定はしないが、本例の場合、本体部材１１０及び蓋体１２０ともに、金型成形してなる樹脂製の部材を採用している。
【００１７】
本体部材１１０は、時計１の正面となる第1の面２１０と、第1の面２１０に所定の角度（図例では９０度）で連続する第２の面２２０とを備えている。第２の面２２０は、時計１の上下左右の側面であり、蓋体１２０は、時計１の背面を構成している。
【００１８】
本例の場合、これら第1の面２１０及び第２の面２２０に革張りを施している。第１の面２１０には、第１革体部材３１０を設け、第２の面２２０には、第２革体部材３２０を設けている。また、蓋体１２０にも革張りを施しており、蓋体１２０には、第３革体部材３３０を設けている。革張りには、接着剤や両面テープを採用している。尚、時刻表示部１１は、第１の面２１０に設けられた開口部２１１から外部に露呈されている。第１革体部材３１０は、開口部２１１の内部に捲き込む状態に設けられている。
【００１９】
第１革体部材３１０は、その裾３１１を曲げて、その裾３１１が第２の面２２０の端にかかるものとなっている。第２革体部材３２０は、第１革体部材３１０の裾３１１を覆うように設けられている。更に、第２の面２２０の正面側の端には、第１革体部材３１０の裾３１１を装着する凹部２２１を設けている。
【００２０】
このような構成によると、第２革体部材３２０の表面に第１革体部材３１０の裾３１１の厚みが浮き出ることはない。仮に、凹部２２１が無いと、第２革体部材３２０の表面には第１革体部材３１０の裾３１１の厚みに応じて段差が形成されてしまうところ、本例では、凹部２２１を設けることにより、そのような事態を回避する構成となっている。
【００２１】
すなわち、この筐体１００は、第１革体部材３１０の端面を第２革体部材３２０の下に隠すとともに、それらの厚さが緩衝することによって生じる段差を解消することにより、より美しい外観を確保したものとなっている。特に、接着剤を用いて第１革体部材３１０を設けた場合は、その端面から接着剤が食み出る場合も考えられるが、第１革体部材３１０の端面を第２革体部材３２０の下に隠すことによれば、食み出た接着剤により美観が損なわれるという心配はない。
【００２２】
更に、本例の筐体１００は、蓋体１２０を連結する帯体４００を備え、帯体４００は、第１革体部材３１０及び第２革体部材３２０の表面に固着するとともに、第３革体部材３３０の表面に固着して設けられている。帯体４００の固着には、接着剤又は両面テープが用いられている。固着強度を向上する場合は、金属製のビスを帯体４００の外部から本体部材１１０又は蓋体１２０に打設してもよい。このようなビスは、筐体１００を飾りつける装飾体としても有効である。
【００２３】
また、帯体４００の一方の端部４１０は、蓋体１２０に固着されており、帯体４００他方の端部４２０は、蓋体１２０に対して離脱可能な自由端となっている。帯体の両端部４１０，４２０は、マジックテープ又はフックボタン等の係止手段４３０にて係止可能となっており、蓋体１２０は、係止手段４３０を係止することにより所定の位置に拘止され、更に係止手段４３０による係止を解除して開閉する構成となっている。
【００２４】
本例の場合、図４に示すように、第１の面２１０及び第２の面２２０の少なくとも一方の要所には、溝状の凹部２０１を設け、帯体４００は、第１革体部材３１０又は第２革体部材３２０の表面に浮き出る溝状の凹部２０１の形状に合せて位置決めしている。また、図示は省略したが、蓋体１２０の要所にも、同様の溝状の凹部を設け、帯体４００は、第３革体部材３３０の表面に浮き出る溝状の凹部の形状に合せて位置決めしている。このような構成によると、帯体４００の位置決めを正確に行うことが可能となる。特に、本体部材１１０や蓋体１２０の表面が曲面形状を呈する場合は、帯体４００を位置決めしようにもずれてしまう虞が顕著となるが、本例ではそのような不都合を回避することができる。
【００２５】
以上説明したように、本例の革張りの筐体は、その機能を考慮しつつより合理的に構成されたものであり、時計のケースとして好適に利用することが可能である。尚、本例における各部の構成は、特許請求の範囲に記載した技術的範囲において適宜に設計変更が可能であり、図例説明したものに限定されないことは勿論である。例えば、カメラや携帯端末機等、その他の電子機器のケースに応用することも可能である。
【００２６】
特に、本例では、第１革体部材３１０の裾３１１を装着する凹部２２１は、第２の面２２０の正面側の端に設けたが、或は図５に示すように、第２の面２２０の中間に設けることも可能である。
【００２７】
更に、筐体１００のデザインは、例えば図６に示すように、任意に設定することができる。同図に示す筐体１００は、装飾的効果を向上すべく、取っ手５００や脚体６００を設けてなるものである。脚体によれば、下面と外部との接触を防止することができる。つまり、下面に施された革張りの汚れを防止するという点で効果的である。
【００２８】
次に、本発明の第２実施例を図７に基づいて説明する。
【００２９】
本例の筐体１００は、その下面に蓋体１２０を連結するヒンジ用革体部材３４０を備え、蓋体１２０は、ヒンジ用革体部材３４０の所定の部位を折り目にして開閉するようにしたものである。ヒンジ用革体部材３４０は、筐体１００の下面において、他の革体部材３１０，３２０，３３０の端面を覆うように設けられている。また、他の革体部材３１０，３２０，３３０よりも折り曲げに対する耐久性に優れた素材となっている。帯体４００の一部は、ヒンジ用革体部材３４０の表面に固着されている。その他の基本構成は、前述した実施例と同じである。
【００３０】
このような構成によると、蓋体１２０の開閉動作を確実に安定化させることができる。強度的に問題が無ければ、帯体４００は省略することも可能である。かかる場合は、蓋体１２０を所定の位置に拘止する係止手段を別途設けるとよい。
【産業上の利用可能性】
【００３１】
本発明は、より合理的に構成された革張りの筐体であり、電子機器のケースとして好適に利用することができる。例えば、この筐体の正面に時刻表示部を設けてなる時計であれば、高級感のある斬新なデザインとなる。
【図面の簡単な説明】
【００３２】
【図１】本発明の実施例に係り、筐体を示す正面図である。
【図２】本発明の実施例に係り、筐体の側面断面図であり、図１のＸ−Ｘ断面図とその要部拡大図である。
【図３】本発明の実施例に係り、図１のＹ−Ｙ断面図である。、
【図４】本発明の実施例に係り、要部の構成を示す説明図である。
【図５】本発明の実施例に係り、要部の構成を示す説明図である。
【図６】本発明の実施例に係り、筐体を示す正面図である。
【図７】本発明の実施例に係り、筐体の側面断面図である。
【符号の説明】
【００３３】
１    時計
１０    時計本体ユニット
１１    時刻表示部
１００    筐体
１１０    本体部材
１２０    蓋体
２０１    溝状の凹部
２１０    第１の面
２１１    開口部
２２０    第２の面
２２１    凹部
３１０    第１革体部材
３１１    裾
３２０    第２革体部材
３３０    第３革体部材
３４０    ヒンジ用革体部材
４００    帯体
４１０    帯体の一方の端部
４２０    帯体の他方の端部
４３０    係止手段
５００    取っ手
６００    脚体
【図１】
2007033332.tif 000003
【図２】
2007033332.tif 000004
【図３】
2007033332.tif 000005
【図４】
2007033332.tif 000006
【図５】
2007033332.tif 000007
【図６】
2007033332.tif 000008
【図７】
2007033332.tif 000009